(57)【特許請求の範囲】
【請求項１】
筒状の丸編生地から成る袋胴部１と、この袋胴部１の端部を接合した袋底部２とから成る丸編み袋の製造方法であって、当該丸編生地Ｆの両端部にはポリウレタン弾性糸を挿入編みして縁かがり組織Ｓを編成する一方、この筒状の丸編生地Ｆを横隊状に複数枚所定間隔に並べて、これら丸編生地Ｆ・Ｆ・・・・の袋底部を形成すべき中腹部位の前後面に一対の溶着テープＴ・Ｔを掛け渡すように対向状態にあてがって当該溶着テープを加熱溶着せしめることにより丸編生地Ｆの該当部位同士を溶着固定し、然る後、当該溶着固定部の内域部分を長手方向に沿って丸編生地Ｆ・F・・・・を分断Ｃ１することによって前記テープＴ・Ｔが溶着して形成された溶着袋底部２を持った簡易丸編み袋を製造することを特徴とした簡易丸編み袋の製造方法。
【請求項２】
筒状の丸編生地から成る袋胴部１と、この袋胴部１の端部を接合した袋底部２とから成る丸編み袋の製造方法であって、当該丸編生地Ｆの両端部にはポリウレタン弾性糸を挿入編みして縁かがり組織Ｓを編成する一方、この筒状の丸編生地Ｆを横隊状に複数枚所定間隔に並べて、これら丸編生地Ｆ・Ｆ・・・・の袋底部を形成すべき中腹部位の前後面に一対の溶着テープＴ・Ｔを掛け渡すように対向状態にあてがって当該溶着テープＴ・Ｔを加熱溶着させることにより、前記丸編生地Ｆ・Ｆ・・・・を帯状に溶着固定し、然る後、当該溶着固定部の内域部分を長手方向に沿って丸編生地Ｆ・Ｆ・・・・を分断Ｃ１し、かつ、各丸編生地ＦとＦとの間に連なり残る捨耳テープＴ′を切り捨てることによって、前記テープＴ・Ｔが溶着して形成された溶着袋底部２を持った簡易丸編み袋を製造することを特徴とした簡易丸編み袋の製造方法。
【発明の詳細な説明】
【０００１】
【発明の属する技術分野】
本発明は、縫製箇所が全く無く安価で丈夫な簡易丸編み袋を効率的に量産することができる合理的な製造方法に関するものである。
【０００２】
【従来の技術】
最近、調理場、台所等の流し台用の水切りゴミ袋として、編地にて製袋された簡易編袋が多用されている。この簡易編袋は、従来の多数の細孔を明けた合成樹脂フィルム製のゴミ袋に比べて格段に水切り性に優れており、また、伸縮自在であるところから、流し台の排水口やバスケット（通称三角コーナー）にも簡単に装着することができ、更には、再生繊維から製袋できるので、資源の有効利用を図るにも都合が良い。
【０００３】
しかしながら、従来の編地袋は製袋時に袋の底辺または側辺を接合するための手間の掛かる縫製処理を施さねばならず、この縫製作業が編地袋の製造コストを押し上げる結果となっていた。
【０００４】
【発明が解決しようとする課題】
本発明は、従来の編地袋の製造方法に上記のような難点があったことに鑑みて為されたもので、縫製箇所が全く無く安価で丈夫な簡易丸編み袋を効率的に量産できる製造方法を提供することを技術的課題とするものである。
【０００５】
【課題を解決するための手段】
本発明は、上記の技術的課題を解決するために、筒状の丸編生地から成る袋胴部１と、この袋胴部１の端部を接合した袋底部２とから成る丸編み袋の製造方法であって、当該丸編生地Ｆの両端部にはポリウレタン弾性糸を挿入編みして縁かがり組織Ｓを編成する一方、この筒状の丸編生地Ｆを横隊状に複数枚所定間隔に並べて、これら丸編生地Ｆ・Ｆ・・・・の袋底部を形成すべき中腹部位の前後面に一対の溶着テープＴ・Ｔを掛け渡すように対向状態にあてがって当該溶着テープを加熱溶着せしめることにより丸編生地Ｆの該当部位同士を溶着固定し、然る後、当該溶着固定部の内域部分を長手方向に沿って丸編生地Ｆ・F・・・・を分断Ｃ１することによって前記テープＴ・Ｔが溶着して形成された溶着袋底部２を持った簡易丸編み袋を製造するという技術的手段を採用した。
【０００６】
また、本発明は、上記の技術的課題を解決するために、筒状の丸編生地から成る袋胴部１と、この袋胴部１の端部を接合した袋底部２とから成る丸編み袋の製造方法であって、当該丸編生地Ｆの両端部にはポリウレタン弾性糸を挿入編みして縁かがり組織Ｓを編成する一方、この筒状の丸編生地Ｆを横隊状に複数枚所定間隔に並べて、これら丸編生地Ｆ・Ｆ・・・・の袋底部を形成すべき中腹部位の前後面に一対の溶着テープＴ・Ｔを掛け渡すように対向状態にあてがって当該溶着テープＴ・Ｔを加熱溶着させることにより、前記丸編生地Ｆ・Ｆ・・・・を帯状に溶着固定し、然る後、当該溶着固定部の内域部分を長手方向に沿って丸編生地Ｆ・Ｆ・・・・を分断Ｃ１し、かつ、各丸編生地ＦとＦとの間に連なり残る捨耳テープＴ′を切り捨てることによって、前記テープＴ・Ｔが溶着して形成された溶着袋底部２を持った簡易丸編み袋を製造するという技術的手段を採用した点に特徴がある。
【０００７】
【発明の実施の形態】
以下、本発明方法を添付図面に図解する実施形態（以下、本実施形態と称す）に基づいて詳しく説明する。なお、図１は本実施形態の簡易丸編み袋の製造方法に用いる丸編生地Ｆの全体斜視図、図２及び図３は本実施形態の簡易丸編み袋の製造方法の工程模式図、図４は同方法により製造された簡易丸編み袋の全体斜視説明図、図５は同方法に用いる製造装置の概略側面図である。
【０００８】
本実施形態の簡易丸編み袋の製造方法は、まず、周知の丸編機を利用して両端部に“ほつれ”が生じない周知の縁かがり組織Ｓを有する筒状の丸編生地Ｆを編成する（図１参照）。本実施形態の丸編生地Ｆは、ポリエチレンテレフタレート糸（20デニール）を平編組織で編成して伸縮自在に構成されており、その両端部の耳組織Ｓ・Ｓには、ポリウレタン弾性糸（20デニール）が挿入編みされて拡縮自在になっている。
【０００９】
このように編成された丸編生地Ｆを、図２に示すように、複数枚、所定間隔に並べ、これら複数の丸編生地Ｆ・Ｆ・・・・の袋底部を形成すべき中腹部分における生地の前後面に一対の溶着テープＴ・Ｔを掛け渡すように対向状態に充行う。
【００１０】
本実施形態では、図５に示すように、ワークトレー30・30…上に並べた複数の丸編生地Ｆ・Ｆ…をワークコンベヤ３で搬送しながら、各丸編生地Ｆの上下両面に、各リール４・４に巻回された一対の溶着テープＴ・Ｔを充行って、当該丸編生地Ｆを上下一対の押圧エンドレスベルト５・５間に引き通すことによって、各丸編生地Ｆの中央部位を一対の溶着テープＴ・Ｔで連続的に挟んでゆくようにしている。なお、本実施形態では、溶着テープＴとして幅10mm、厚み 0.2mm、溶着温度約１６０℃の低密度ポリエチレン製テープを採用している。
【００１１】
次いで、これら上下一対の溶着テープＴ・Ｔを加熱し溶融させ、この溶融した溶着テープが丸編生地Ｆの構成糸を取り囲んだ状態で当該溶着テープを冷却固化せしめることによって、溶着テープＴ・Ｔで挟んだ各丸編生地Ｆの中央部位の生地同士を溶着固定する。本実施形態では、押圧エンドレスベルト５・５で挟んだ状態のまま、上下二対のヒータ６・６…で上下の溶着テープＴ・Ｔを加熱し、その搬送下流側の上下一対の冷却板７・７で冷却するようにしている（図５）。
【００１２】
然る後、溶着テープＴによる溶着固定部を切断Ｃ1 して各丸編生地Ｆを二分割すると共に、丸編生地ＦとＦとの間に連なり残る捨耳テープＴ′を切り捨てることにより（図３）、図４に示すごとき筒状の丸編生地から成る袋胴部１と、この袋胴部１の端部を溶着テープで溶着固定した袋底部２とから成る簡易丸編み袋Ｈが製造されるのである。なお、図５の装置を用いる本実施形態の方法では、各丸編生地Ｆ・Ｆ…をワークコンベヤ３で搬送しながら、縦切カッタ８によって溶着テープＴ・Ｔが溶融した溶着固定部を上下に切断Ｃ1 し、その後、横切カッタ９によって前記捨耳テープＴ′を切り捨てＣ2 することによって簡易丸編み袋Ｈを連続的に製造している。
【００１３】
このように、本実施形態の簡易丸編み袋の製造方法にあっては、丸編生地Ｆの生地同士を溶着テープで溶着固定して袋底部２を構成しているので、従来の編地ゴミ袋のように手間の掛かる縫製処理を一切行なわずとも簡単に製袋することができ、極めて安価な簡易丸編み袋を提供することができるのである。
【００１４】
また、この溶着テープによる溶着固定部は、丸編生地Ｆの構成糸を取り囲んだ状態で固化しているので、丸編生地の端部の生地を確実に固定することができ、袋底部２に簡単に伝線が生じるようなこともない極めて丈夫な簡易丸編み袋を製造することができる。
【００１５】
更にまた、本実施形態の簡易丸編み袋の製造方法にあっては、丸編生地Ｆの生地同士を溶着テープＴで溶着固定してから切断するので、切断処理が簡単であると共に、両端部に耳組織Ｓを有する丸編生地Ｆから同時に二つの簡易丸編み袋を製造することができるので、簡易丸編み袋を効率的に量産することができ、生産性が向上して簡易丸編み袋を頗る安価に提供することが可能なのである。
【００１６】
本発明の具体例である実施形態は概ね上記のように構成されているが、本発明はこの実施形態に限定されるものではなく、「特許請求の範囲」の記載内で種々の変更が可能である。
【００１７】
【発明の効果】
以上、実施形態をもって説明したとおり、本発明方法にあっては、丸編生地の生地同士を溶着テープで溶着固定して袋底部を形成しているので、従来の編地ゴミ袋のように手間の掛かる縫製処理を一切行なわずとも簡単に製袋でき、極めて安価に簡易丸編み袋を製造できる。
【００１８】
また、この溶着テープによる溶着固定部は、丸編生地の構成糸を取り囲んだ状態で固化しているので、丸編生地の端部の生地を確実に固定され、袋底部に伝線が生ずることもなく極めて丈夫な簡易丸編み袋を提供できる。
【００１９】
更にまた、本発明方法は、丸編生地の生地同士を溶着テープで溶着固定してから切断するので、切断処理が簡単であると共に、両端部に耳組織を有する丸編生地から同時に二つの簡易丸編み袋を製造できるので、簡易丸編み袋を効率的に量産することができ、生産性が向上して簡易丸編み袋を頗る安価に提供することが可能なのである。
【図面の簡単な説明】
【図１】    図１は、本実施形態の簡易丸編み袋の製造方法に用いる丸編生地の全体斜視図である。
【図２】    図２は、本実施形態の簡易丸編み袋製造における溶着テープ配設の工程を示す説明図である。
【図３】    図３は、本実施形態の簡易丸編み袋製造における溶着テープ溶融加工後のテープ切断工程を示す説明図である。
【図４】    図４は、本実施形態の方法で製造した簡易丸編み袋の全体斜視図である。
【図５】    図５は、上記実施形態の方法に用いる製造装置の概略側面図である。
【符号の説明】
Ｈ    簡易丸編み袋
Ｆ    丸編生地
Ｓ    縁かがり組織
Ｔ    溶着テープ
Ｔ′  捨耳テープ
１    袋胴部
２    袋底部
【図１】
0004428830.tif 000002
【図２】
0004428830.tif 000003
【図３】
0004428830.tif 000004
【図４】
0004428830.tif 000005
【図５】
0004428830.tif 000006